(57)【特許請求の範囲】
【請求項１】
固定側接触子とこれに対向して固定側接触子に対して移動可能な可動側接触子とからなるケーブルジョイント装置において、
可動側接触子には、絶縁外筒内の一端に固定側接触子に対向して絶縁外筒の軸線方向に移動可能な可動接触端子が保持されるとともに、絶縁外筒内の他端にケーブルを固着して接続するケーブル接続端子が固定され、
絶縁外筒内で、可動接触端子の外周部とケーブル接続端子の外周部とは扁平な複数の編組可撓導体が周方向に間隔をおいて接続され、編組可撓導体は可動接触端子とケーブル接続端子の異なる位置で対向させてそれぞれ固定して捻りを形成した状態で接続され、
可動接触端子には軸線方向に中空部が形成され、中空部には、ケーブル接続端子から延びた絶縁ロッドが摺動自在に配置されるとともに、絶縁ロッドの端面と中空部の底面との間に可動接触端子を絶縁外筒の軸線方向に沿って外側へ付勢するスプリングが配置され、
固定側接触子には、可動接触端子に対向して固定接触端子が設けられていることを特徴とするケーブルジョイント装置。
【発明の詳細な説明】
【技術分野】
【０００１】
本発明は、モールド電磁撹拌装置や電磁ブレーキ装置など大電流が流れるケーブルコネクターを自動的に着脱する可動側接触子の構造をコンパクト化できるケーブルジョイント装置に関する。
【背景技術】
【０００２】
鋼を連続鋳造する際に溶鋼を撹拌するモールド電磁撹拌装置や電磁ブレーキ装置などにおけるケーブルの接続作業の短縮、手作業における漏電等の危険性回避を目的に複数のケーブルを一括コネクタで自動接続できる装置が、例えば、特許文献１（特開２００２−２１１３９７号公報）に開示されている。
【０００３】
図２は従来のケーブルジョイント装置の一例を示し、（ａ）は接続前の状態、（ｂ）は接続した状態を示す概略図である。ケーブルジョイント装置は、可動側接触子１とこれに対向して配置された固定側接触子２で構成されている。可動側接触子１は電源側に、固定側接触子２は負荷側にそれぞれ電源側ケーブル１ａ，負荷側ケーブル２ａで電気的に接続されている。
【０００４】
可動側接触子１は、絶縁外筒３内に撚り線からなる撚り線ケーブル４の一端に接続された可動接触端子５が上下に移動可能に配置されている。可動接触端子５は、接触圧力を維持するため、スプリング６で絶縁外筒３の外側へ付勢されている。撚り線ケーブル４の他端は絶縁外筒３の上部に固定されたケーブル接続端子７に圧縮によりカシメて接続されている。固定側接触子２には固定接触端子８が可動側接触端子５に対向して設けられている。
【０００５】
可動側接触子１と固定側接触子２とをジョイントさせるには、図２（ａ）に示す状態から絶縁外筒３を押して可動側接触子１を固定側接触子２へ向けて移動させることにより可動接触端子５を固定側接触子２の固定接触端子８に接触させる。さらに絶縁外筒３を押して移動させると、図２（ｂ）に示すように、可動接触端子５がスプリング６の付勢力に抗して固定接触端子８に押し付けられて接触押圧力により確実に接触が維持される。この時、ケーブル４は押さえられて大きく変形した状態になる。  
【特許文献１】特開２００２−２１１３９７号公報
【発明の開示】
【発明が解決しようとする課題】
【０００６】
従来のケーブルジョイント装置の可動側接触子１の可動接触端子５とケーブル接続端子７とは１本の撚り線からなる撚り線ケーブル４で接続されている。しかしながら、モールド電磁撹拌装置などの開発により大電流化が進むにともなって、撚り線ケーブル４が太くなり、従来の１本の撚り線構造では大電流（例えば１０００Ａ）では導体実効断面積が４００ｍｍ２と大きくなり、小スペース（例えば、Φ６８ｍｍ）の絶縁外筒内に設置することが困難となっている。その結果、接続時のケーブルの変形を絶縁外筒３内で許容できるようにするために可動側接触子を大型にする必要があるだけでなく、可動側接触子１を可動させるために大きな力が必要であり、付帯する可動装置が大きくなる課題があった。
【０００７】
そこで、本発明は、ケーブルジョイント装置をコンパクト化でき且つ大電流に耐えうる構造のケーブルジョイント装置を提供するものである。
【課題を解決するための手段】
【０００８】
本発明は、固定側接触子とこれに対向して固定側接触子に対して移動可能な可動側接触子とからなるケーブルジョイント装置において、可動側接触子には、絶縁外筒内の一端に固定側接触子に対向して絶縁外筒の軸線方向に移動可能な可動接触端子が保持されるとともに、絶縁外筒内の他端にケーブルを固着して接続するケーブル接続端子が固定され、絶縁外筒内で、可動接触端子の外周部とケーブル接続端子の外周部とは扁平な複数の編組可撓導体が周方向に間隔をおいて接続され、編組可撓導体は可動接触端子とケーブル接続端子の異なる位置で対向させてそれぞれ固定して捻りを形成した状態で接続され、可動接触端子には軸線方向に中空部が形成され、中空部には、ケーブル接続端子から延びた絶縁ロッドが摺動自在に配置されるとともに、絶縁ロッドの端面と中空部の底面との間に可動接触端子を絶縁外筒の軸線方向に沿って外側へ付勢するスプリングが配置され、固定側接触子には、可動接触端子に対向して固定接触端子が設けられていることを特徴とする。
【発明の効果】
【０００９】
本発明では、可動側接触子の可動接触端子とケーブル接続端子との接続を、１本のケーブルによる接続に代えて、複数に分割し捻った状態の編組可撓導体による接続とすることにより可動接触端子の可動時における変形を抑えることができるので、大きいスペースを要することなくケーブルジョイント装置を構成することが可能となる。
【００１０】
また、複数に分割した編組可撓導体とすることにより、１本の撚り線からなるケーブルにおける許容電流密度（２．６２Ａ／ｍｍ２）比べ、表面積が増加するため許容電流密度（３．３Ａ／ｍｍ２）が大幅に上昇し、さらに、表面積の増加により大気への放熱増加によって編組可撓導体の温度上昇を抑制することができるので、大電流に耐えることができる。更に、１本のケーブルによる接続に代えて、複数に分割し捻った状態の縞組可撓導体による接続とすることにより、可動側接触子を可動させる力は非常に小さくすむので付帯する可動装置も小さくすることが可能となる。
【発明を実施するための最良の形態】
【００１１】
図１（ａ）は本発明によるケーブルジョイント装置の接触子の全体を示す断面図、（ｂ）は（ａ）のＡ−Ａ断面図、（ｃ）は編組可撓導体を示す斜視図である。
【００１２】
図１（ａ）において、ケーブルジョイント装置は、可動側接触子１とこれに対向して配置された固定側接触子２とで構成されている。可動側接触子１は電源側に、固定側接触子２は電磁撹拌装置などの負荷側にそれぞれ電源側（又は負荷側）のケーブル１ａ，負荷側（又は電源側）のケーブル２ａで電気的に接続されている。
【００１３】
可動側接触子１には、絶縁外筒３内の一端に可動接触端子５が絶縁外筒３の軸線方向に移動可能に保持され、絶縁外筒３内の他端に電源側（又は負荷側）のケーブル１ａを挿入し圧縮することにより固着して接続するケーブル接続端子７が固定されている。
【００１４】
可動接触端子５には軸線方向に中空部５ａが形成され、中空部５ａにはケーブル接続端子７から延びた絶縁ロッド７ａが摺動自在に配置されている。さらに中空部５ａには絶縁ロッド７ａの端面と中空部５ａの底面との間にスプリング６が配置され、スプリング６は可動接触端子５を絶縁外筒３の外側へ軸線方向に沿って外側へ付勢する。
【００１５】
可動接触端子５とケーブル接続端子７とは電線で編んだ扁平な複数の編組可撓導体９が間隔をおいて接続される。編組可撓導体９は、可動接触端子５とケーブル接続端子７の異なる位置で対向させてそれぞれ固定して捻りを形成した状態で接続し、可動接触端子５が移動した際に変形し易くしている。
【００１６】
固定側接触子２には固定接触端子８が可動側接触端子５に対向して設けられている。固定接触端子８には負荷側のケーブル２ａを挿入し圧縮して固着するケーブル接続端子１０が固定されている。  
【００１７】
可動側接触子１と固定側接触子２とをジョイントさせるには、まず、絶縁外筒３を押して可動側接触子１を固定側接触子２へ向けて移動させることにより可動接触端子５を固定側接触子２の固定接触端子８に接触させる。
【００１８】
さらに絶縁外筒３を押して移動させると、可動接触端子５は絶縁外筒３内を移動するとともに、ケーブル接続端子７の絶縁ロッド７ａは可動接触端子５の中空部５ａ内を移動してスプリング６を圧縮し、可動接触端子５はスプリング６の付勢力に抗して固定接触端子８に押し付けられて接触押圧力により確実に接触が維持される。可動接触端子５が移動する際に、ケーブル接続端子７と接続されている複数の編組可撓導体９は、捻りが形成されているので、捻りの方向に変形するが、１本のケーブルほど変形することはない。  
【図面の簡単な説明】
【００１９】
【図１】（ａ）は本発明のケーブルジョイント装置の接触片の全体を示す断面図、（ｂ）は（ａ）のＡ−Ａ断面図、（ｃ）は編組可撓導体を示す斜視図である。
【図２】従来のケーブルジョイント装置の一例を示し、（ａ）は接続前の状態、（ｂ）は接続した状態を示す概略図である。
【符号の説明】
【００２０】
１：可動側接触子
１ａ：ケーブル
２：固定側接触子
２ａ：ケーブル
３：絶縁外筒
４：撚り線ケーブル
５：可動接触端子
５ａ：中空部
６：スプリング
７：ケーブル接続端子
７ａ：絶縁ロッド
８：固定接触端子
９：編組可撓導体
【図１】
0004681243.tif 000002
【図２】
0004681243.tif 000003